(57)【要約】【課題】ＡＣ／ＤＣ電源を有する制御機器に対し、指紋照合装置などの制御対象装置を組み合わせたシステム及び方法において、感電を効果的に防止する。【解決手段】各制御機器Ｋ１〜Ｋｎと指紋照合装置Ｆを接続している通信ボードＢ２において、シグナルグランド線及び通信線の少なくとも一方、望ましくは両方に、フォトカプラＣを介在させる。このように、ＡＣ／ＤＣ電源を有する制御機器Ｋ１〜Ｋｎと、指紋照合装置Ｆとの間の通信用結線すなわちシグナルグランド線や通信線について、フォトカプラＣを介在させることで電気的に絶縁し、制御機器Ｋ１〜Ｋｎから指紋照合装置ＦへのＡＣ漏洩電流の回り込みを抑制、遮断することにより、指紋照合装置に複数の制御機器を同時に接続する態様においても、感電を効果的に防止することが可能となる。【選択図】図１
2007220015.tif 000002
【特許請求の範囲】
【請求項１】
ＡＣ／ＤＣ電源を備えた制御機器と、前記制御機器が制御し手指で触れて使用する制御対象装置と、を通信用結線で接続し、前記制御対象装置の入力又は出力する情報を前記制御機器に伝達して処理させる情報通信システムにおいて、
前記通信用結線の途中にフォトカプラを介在させたことを特徴とする情報通信システム。
【請求項２】
ＡＣ／ＤＣ電源を備えた制御機器と、指紋センサを備えた指紋照合装置と、を通信用結線で接続し、前記指紋照合装置で読み取る指紋パタンの情報に基いて前記制御機器において情報処理を行う指紋照合システムにおいて、
前記通信用結線の途中にフォトカプラを介在させたことを特徴とする指紋照合システム。
【請求項３】
ＡＣ／ＤＣ電源を備えた制御機器と、前記制御機器が制御し手指で触れて使用する制御対象装置と、を通信用結線で接続し、前記制御対象装置の入力又は出力する情報を前記制御機器に伝達して処理させる情報通信システムにおける情報通信方法であって、
前記通信用結線の途中にフォトカプラを介在させ、前記通信用結線で伝達される電気信号を光信号に一旦変換後電気信号に逆変換することにより、漏洩電流を遮断することを特徴とする情報通信システムにおける情報通信方法。
【請求項４】
ＡＣ／ＤＣ電源を備えた制御機器と、指紋センサを備えた指紋照合装置と、を通信用結線で接続し、前記指紋照合装置で読み取る指紋パタンの情報に基いて前記制御機器において情報処理を行う指紋照合システムにおける情報通信方法であって、
前記通信用結線の途中にフォトカプラを介在させ、前記通信用結線で伝達される電気信号を光信号に一旦変換後電気信号に逆変換することにより、漏洩電流を遮断することを特徴とする情報通信システムにおける情報通信方法。
【発明の詳細な説明】
【技術分野】
【０００１】
本発明は、ＡＣ／ＤＣ電源を有する制御機器に対し、指紋照合装置などの制御対象装置を組み合わせたシステム及び方法の改良に関する。
【背景技術】
【０００２】
近年、建物の入退出管理などに用いる指紋照合の技術が知られ（例えば特許文献１参照）、指紋照合システムなどと呼ばれている。その典型は、図３に例示するように、ＡＣ１００Ｖ等のＡＣ／ＤＣ電源を有する管理用コンピュータなどの制御機器Ｋ（Ｋ０，Ｋ１〜Ｋｎ）と、指紋センサＦ２を備えた指紋照合装置Ｆとを、通信用結線すなわちＧＮＤなどと表されるシグナルグランド（ＳＧ）線（図３において破線で示す）ならびに通信線（図３において実線矢印で示す）を用いた有線通信方式で接続し、指紋照合装置Ｆで読み取る指紋パタンの情報に基いて制御機器Ｋ（特にＫ１〜Ｋｎ）において情報処理を行うことで、指紋照合により開錠等の管理を行うものである。
【特許文献１】特開平５−２３３８９６
【発明の開示】
【発明が解決しようとする課題】
【０００３】
しかし、上記のようにＡＣ／ＤＣ電源を有する制御機器Ｋと、指紋照合装置Ｆを通信用結線で接続すると、制御機器Ｋから多かれ少なかれＡＣ漏洩電流（例えばＩ１〜Ｉ３）が指紋照合装置Ｆに流れ、導体を用いている指紋センサＦ２表面に蓄積する。ここで、Ｉ０，Ｉ１，Ｉ２…Ｉｎは各制御機器Ｋ０，Ｋ１〜ＫｎからのＡＣ漏洩電流値、ｎはシステムにおける制御機器Ｋの機器数であり、ＡＣ漏洩電流はシステムにおける機器数が増えれば増えるほど加算され増加する。
【０００４】
このような漏洩電流は、例えばＡＣ  ０．５ｍＡ程度でも人体に刺激や影響を与える場合があり、指紋照合等のため指紋照合装置Ｆに触れたユーザの指先に不快な刺激が生じるなど感電が発生する問題があった。特に、指紋照合装置Ｆに同時に複数の制御機器Ｋを接続する態様では、その数に応じ漏電電流が増加するため、より感電しやすくなり、問題の解消が待望されていた。
【０００５】
本発明は、上記のような課題を解決するもので、その目的は、ＡＣ／ＤＣ電源を有する制御機器に対し、指紋照合装置などの制御対象装置を組み合わせたシステム及び方法において、感電を効果的に防止することである。
【課題を解決するための手段】
【０００６】
上記の目的を達成するため、本発明の一態様は、ＡＣ／ＤＣ電源を備えた制御機器と、前記制御機器が制御し手指で触れて使用する制御対象装置と、を通信用結線で接続し、前記制御対象装置の入力又は出力する情報を前記制御機器に伝達して処理させる情報通信システムにおいて、前記通信用結線の途中にフォトカプラを介在させたことを特徴とする。
【０００７】
本発明の他の態様は、ＡＣ／ＤＣ電源を備えた制御機器と、指紋センサを備えた指紋照合装置と、を通信用結線で接続し、前記指紋照合装置で読み取る指紋パタンの情報に基いて前記制御機器において情報処理を行う指紋照合システムにおいて、前記通信用結線の途中にフォトカプラを介在させたことを特徴とする。
【０００８】
本発明の他の態様は、ＡＣ／ＤＣ電源を備えた制御機器と、前記制御機器が制御し手指で触れて使用する制御対象装置と、を通信用結線で接続し、前記制御対象装置の入力又は出力する情報を前記制御機器に伝達して処理させる情報通信システムにおける情報通信方法であって、前記通信用結線の途中にフォトカプラを介在させ、前記通信用結線で伝達される電気信号を光信号に一旦変換後電気信号に逆変換することにより、漏洩電流を遮断することを特徴とする。
【０００９】
本発明の他の態様は、ＡＣ／ＤＣ電源を備えた制御機器と、指紋センサを備えた指紋照合装置と、を通信用結線で接続し、前記指紋照合装置で読み取る指紋パタンの情報に基いて前記制御機器において情報処理を行う指紋照合システムにおける情報通信方法であって、前記通信用結線の途中にフォトカプラを介在させ、前記通信用結線で伝達される電気信号を光信号に一旦変換後電気信号に逆変換することにより、漏洩電流を遮断することを特徴とする。
【発明の効果】
【００１０】
以上のように、ＡＣ／ＤＣ電源を有する制御機器と、指紋照合装置などの制御対象機器との間の通信用結線についてフォトカプラを介在させることで電気的に絶縁しＡＣ漏洩電流を遮断することにより、指紋照合装置などの制御対象装置に複数の制御機器を同時に接続する態様においても、感電を効果的に防止することが可能となる。
【発明を実施するための最良の形態】
【００１１】
次に、本発明の最良の実施形態について図１（構成図）に沿って説明する。なお、背景技術や課題で既に説明した内容と共通の前提事項は適宜省略する。
【００１２】
本実施形態は（図１）、管理コンピュータなどＡＣ／ＤＣ電源を有する複数の制御機器Ｋ１〜Ｋｎと、指紋センサＦ２を備えた指紋照合装置Ｆと、を通信用結線すなわちシグナルグランド線（図１中の破線）ならびに通信線（図１中の実線矢印）で接続し、指紋照合装置Ｆで読み取る指紋パタンの情報に基いて制御機器Ｋ１〜Ｋｎにおいて情報処理を行うことで、指紋照合により開錠等の管理を行う指紋照合システムであり、この点は、従来例（図３）に準じる。
【００１３】
一方、本実施形態ではその特徴として、指紋照合装置Ｆや指紋照合装置Ｆ側の制御機器Ｋ０を、各制御機器Ｋ１〜Ｋｎと接続している通信ボードＢ２において、通信用結線にフォトカプラＣを介在させている。この場合、指紋照合装置Ｆ側のシグナルグランドは筐体（シャーシ）である。また、フォトカプラの実装態様は自由であるが、例えば、通信用結線で伝達元側から入力される電気的信号（例えばシグナルグランド線と信号線の電位差）を、光情報にいったん変換して発光素子や受光素子間で受渡したうえふたたび電気的信号に逆変換して伝達先側へ出力する。
【００１４】
このように、ＡＣ／ＤＣ電源を有する制御機器Ｋ１〜Ｋｎと、指紋照合装置Ｆとの間の通信用結線すなわちシグナルグランド線や通信線について、フォトカプラＣを介在させることで電気的に絶縁し、制御機器Ｋ１〜Ｋｎから指紋照合装置ＦへのＡＣ漏洩電流の回り込みを抑制、遮断することにより、指紋照合装置に一つの制御機器を接続する態様においても、また、指紋照合装置に複数の制御機器を同時に接続する態様においても、感電を効果的に防止することが可能となる。
【００１５】
なお、本発明は上記実施形態に限定されるものではなく、以下に例示するもの及びそれ以外の他の実施形態も含むものである。例えば、読み取った指紋パタンを制御機器Ｋ１〜Ｋｎへ転送し照合は制御機器Ｋ１〜Ｋｎで行うか、読み取った指紋パタンから指紋照合装置Ｆで抽出する特徴点の情報だけ制御機器へ転送するか、読み取った指紋パタンと本人の登録済パタンとの照合まで指紋照合装置Ｆで行うかなどの詳細は、自由に定めてよい。
【００１６】
また、図１の例は数台の制御機器Ｋ１〜Ｋｎを一台の指紋照合装置Ｆに接続した例であるが、図２に実線で示すように、ビルの各階などに対応し、一台の制御機器Ｋ１〜Ｋ３ごとにそれぞれ複数の指紋照合装置Ｆを接続してもよい。また、図２にさらに一点鎖線で示すように、各階の各制御機器Ｋ１〜Ｋ３間のオンライン接続により、各指紋照合装置Ｆからみても、複数の制御機器Ｋ１〜Ｋ３を接続するようにしてもよい。
【００１７】
また、本発明の範囲としては、ＡＣ／ＤＣ電源を備えた制御機器に対して、指紋照合装置を接続した指紋照合システムには限定されず、制御機器が制御し手指で触れて使用する各種の制御対象装置を通信用結線で接続し、その制御対象装置の入力又は出力する情報を制御機器に伝達して処理させる情報通信システムや、そのような情報通信システムや指紋照合システムにおける情報通信方法も含むものである。すなわちこれらの例でも、前記通信用結線の途中にフォトカプラを介在させ、前記通信用結線で伝達される電気信号を光信号に一旦変換後電気信号に逆変換することにより、漏洩電流を遮断する。
【図面の簡単な説明】
【００１８】
【図１】本発明の実施形態における指紋照合システムの構成例を示す図。
【図２】本発明の実施形態における指紋照合システムの他の構成例を示す図。
【図３】指紋照合システムの従来例を示す図。
【符号の説明】
【００１９】
Ｋ０，Ｋ１〜Ｋ３，Ｋｎ…制御機器
Ｂ１，Ｂ２，Ｂ２２…通信ボード
Ｆ…指紋照合装置
Ｆ２…指紋センサ
【図１】
2007220015.tif 000003
【図２】
2007220015.tif 000004
【図３】
2007220015.tif 000005